(57)【要約】      （修正有）【課題】チャンネル数値キーを操作して一桁の数値のチャンネルを受信するにあたり、簡単な操作によってチャンネルを選択することができるテレビ受像機を提供する。【解決手段】チャンネル数値キーを備えるリモコンと、受信したチャンネルの放送内容を出力するテレビモニタと、制御用マイコンとを備えるテレビ受像機で構成する。テレビ受像機は、受信したチャンネルを順次に記憶し、受信回数の最も多いチャンネル及びテレビ受像機が電源オフされる直前に受信した最後のチャンネルを記憶する。テレビ受像機は、受信した回数が最も多いチャンネルが一桁の数値である第一の条件と最後のチャンネルが一桁の数値である第二の条件が成立するか否かを判断する。ユーザにより一桁の数値のチャンネルが入力されると、第一の条件と第二の条件が成立する場合には、操作された数値キーに対応する一桁のチャンネルを確定して放送内容をテレビモニタ２に出力する。【選択図】図１
2005094668.tif 000002
【特許請求の範囲】
【請求項１】
複数のチャンネル数値キーと制御用マイコンとテレビモニタとを備えるテレビ受像機であって、当該テレビ受像機を使用するユーザがチャンネル数値キーを操作すると特定のチャンネルの放送を受信して前記テレビモニタに放送内容を出力するようにされており、
放送を受信したチャンネルを順次に記憶することにより、受信した回数の最も多いチャンネル及び当該テレビ受像機が電源オフされる直前に受信していた最後のチャンネルを記憶するようにされており、
受信した回数が最も多いチャンネルが一桁の数値のチャンネルであることを第一の条件とし、前記最後のチャンネルが一桁の数値のチャンネルであることを第二の条件とし、第一の条件が成立するか否か及び第二の条件が成立するか否かを判断するようにされており、
ユーザにより一桁のチャンネル数値キーのいずれか一つが操作されると、前記第一の条件及び／又は第二の条件が成立すると判断した場合に、前記操作された数値キーに対応する一桁の数値のチャンネルの受信を確定して該確定したチャンネルの放送内容をテレビモニタに出力するようにされたテレビ受像機。
【請求項２】
前記放送を受信したチャンネルを記憶するにあたり、受信した時間帯のデータをともに記憶し、各時間帯に応じて受信した回数が最も多いチャンネルを記憶するようにし、
ユーザにより一桁のチャンネル数値キーのいずれか一つが操作されると、その操作された時間帯について、前記第一の条件が成立しているか否か判断するようにされた請求項１に記載のテレビ受像機。
【請求項３】
前記放送を受信したチャンネルを記憶するにあたり、受信した月及び日からなる日付けのデータをともに記憶し、受信した日付けに応じて受信した回数が最も多いチャンネルを記憶するようにし、
ユーザにより一桁のチャンネル数値キーのいずれか一つが操作されると、その操作が行われた日付けについて、前記第一の条件が成立しているか否か判断するようにされた請求項１に記載のテレビ受像機。
【発明の詳細な説明】
【技術分野】
【０００１】
本発明は、チャンネル数値キーを操作して一桁の数値のチャンネルを受信する場合に、操作を簡単に行えるようにしたテレビ受像機に関する。
【背景技術】
【０００２】
テレビ受像機によると、各放送チャンネルと対応している放送局より送信される放送内容を受信し、その放送内容をテレビモニタにより視聴することができる。そして、テレビ受像機により受信する放送チャンネルの選択は、操作用リモコンに設けられるチャンネル数値キーの操作によって行う。
【０００３】
即ち、一定のチャンネル数値キーを順次に押し下げる操作を行ってチャンネルのナンバーを入力することにより、入力された数値に一致するチャンネルを選択することができる。
【０００４】
そして、従来の技術として、チャンネル数値キーが所定時間以上押し下げられた場合にその数値を確定し、受信するチャンネルを選択するようにしたテレビ受像機がある（例えば、特許文献１参照）。
【特許文献１】特開平１０−２８９０４６号公報
【発明の開示】
【発明が解決しようとする課題】
【０００５】
ここで、従来のテレビ受像機にあっては、一桁の数値のチャンネルを受信しようとする場合に、そのチャンネルを選択するためのチャンネル数値キーの操作が煩わしいことがあった。即ち、一桁の数値のチャンネルを選択したことを確定するため、選択したチャンネル数値キーを一定時間以上にわたって押し続ける等しなければならなかった。
【０００６】
そこで、本発明は、一桁の数値のチャンネルを受信する場合に、簡単な操作によってチャンネルを選択することができるテレビ受像機を提供することを目的とする。
【課題を解決するための手段】
【０００７】
上記課題を解決するため、本発明は、複数のチャンネル数値キーと制御用マイコンとテレビモニタとを備えるテレビ受像機であって、当該テレビ受像機を使用するユーザがチャンネル数値キーを操作すると特定のチャンネルの放送を受信して前記テレビモニタに放送内容を出力するようにされており、
放送を受信したチャンネルを順次に記憶することにより、受信した回数の最も多いチャンネル及び当該テレビ受像機が電源オフされる直前に受信していた最後のチャンネルを記憶するようにされており、
受信した回数が最も多いチャンネルが一桁の数値のチャンネルであることを第一の条件とし、前記最後のチャンネルが一桁の数値のチャンネルであることを第二の条件とし、第一の条件が成立するか否か及び第二の条件が成立するか否かを判断するようにされており、
ユーザにより一桁のチャンネル数値キーのいずれか一つが操作されると、前記第一の条件及び／又は第二の条件が成立すると判断した場合に、前記操作された数値キーに対応する一桁の数値のチャンネルの受信を確定して該確定したチャンネルの放送内容をテレビモニタに出力するようにされたテレビ受像機である（請求項１）。
【０００８】
本発明のテレビ受像機によると、ユーザにより一桁のチャンネル数値キーのいずれか一つが操作されると、前記第一の条件及び／又は第二の条件が成立する場合には、前記操作された数値キーに対応する一桁のチャンネルを受信することを確定する。
【０００９】
これにより、前記一桁の数値のチャンネルを受信したい場合に、このチャンネルを受信することを確定するために、選択した一つの数値キーを一定時間以上押し続けなければならない等の煩雑な操作を行わなくともよい。
【００１０】
また、前記テレビ受像機について、前記放送を受信したチャンネルを記憶するにあたり、受信した時間帯のデータをともに記憶し、各時間帯に応じて受信した回数が最も多いチャンネルを記憶するようにし、
ユーザにより一桁のチャンネル数値キーのいずれか一つが操作されると、その操作された時間帯について、前記第一の条件が成立しているか否か判断するようにすることもできる（請求項２）。
【００１１】
この発明のテレビ受像機によると、受信したチャンネルを記憶するにあたり、各チャンネルを受信した時間帯と対応させて記憶することができる。これにより、チャンネル数値キーの一つの操作に応じて一桁のチャンネルの受信を確定するにあたり、テレビ受像機を使用する時間帯に応じて確定する処理を行うことができる。
【００１２】
また、前記テレビ受像機について、前記放送を受信したチャンネルを記憶するにあたり、受信した月及び日からなる日付けのデータをともに記憶し、受信した日付けに応じて受信した回数が最も多いチャンネルを記憶するようにし、
ユーザにより一桁のチャンネル数値キーのいずれか一つが操作されると、その操作が行われた日付けについて、前記第一の条件が成立しているか否か判断するようにすることもできる（請求項３）。
【００１３】
この発明のテレビ受像機によると、受信したチャンネルを記憶するにあたり、各チャンネルを受信した日付けと対応させて記憶することができる。これにより、チャンネル数値キーの一つの操作に応じて一桁のチャンネルの受信を確定するにあたり、テレビ受像機を使用する日付けに応じて確定する処理を行うことができる。
【発明の効果】
【００１４】
本発明は、以上説明したような形態で実施され、以下に記載されるような効果を奏する。本発明のテレビ受像機によると、チャンネルナンバーが一桁の数値であるチャンネルを受信したい場合に、当該テレビ受像機を使用するユーザは、簡単な操作によってチャンネルを選択することができる。
【発明を実施するための最良の形態】
【００１５】
本発明の実施の形態について、図１乃至図８に基づいて説明する。図１は、本発明の一実施形態であるテレビ受像機１のブロック図であり、テレビ受像機１の構成の概略を示している。テレビ受像機１は、操作用リモコン３とチューナ５と制御用マイコン１０と外部メモリ６とリモコン受光部７とテレビモニタ２を備えている。
【００１６】
このテレビ受像機１のユーザが操作用リモコン３を操作することにより、テレビ受像機１を操作することができる。操作用リモコン３は、テレビ受像機１を操作するための各種の操作キーを備えている。操作用リモコン３は、電源キー、操作メニュー表示キー、チャンネル数値キーの他、テレビ受像機１の操作に必要な各種のキーを備えている。
【００１７】
電源キーは、テレビ受像機１の電源オン／オフに用いられる。また、操作メニュー表示キーを操作することにより、テレビ受像機１を動作させる条件を設定するための操作メニューをテレビモニタ２に表示させることができる。
【００１８】
そして、テレビモニタ２に表示される操作メニューへの入力を介して、テレビ受像機１を動作させる条件を設定することができる。この操作メニューへの入力は、操作用リモコン３の所要の操作キーの操作によって行う。
【００１９】
また、複数桁のチャンネルの選択に備えて、一つのチャンネル数値キーが操作された後の一定時間にわたってチャンネル入力を待機しておく入力待機を終了するまでの入力待機所定時間Ｔ１は、この操作メニューを介して設定される。
【００２０】
チャンネル数値キーは、テレビ受像機１が受信するべき放送チャンネルの選択に用いられる。操作用リモコン３には、チャンネル数値キーとして、図１に示される各種の数値を表すキーが設けられている。
【００２１】
操作用リモコン３のこれらの操作キーは、ユーザが押し下げることによって、即ちキーの表面を操作用リモコン３の本体の方向へ押し込むことによって操作される。
【００２２】
テレビ受像機１のユーザが操作用リモコン３の各操作キーを操作すると、各操作キーに割り当てられる操作キー判別信号が操作用リモコン３より出力され、リモコン受光部７に入力される。リモコン受光部７に入力された操作キー判別信号は、後に説明するキー検出部１７に入力される。
【００２３】
チューナ５にはアンテナが接続されている。チューナ５は、受信するべき放送チャンネルの放送波を選択して受信する。チューナ５には、後に説明する選局処理部１２により、受信するべき放送チャンネル（放送チャンネルに割り当てられる特定の周波数）が設定される。そして、チューナ５が設定された放送チャンネルを受信すると、この放送チャンネルの放送信号（映像信号や音声信号）は、チューナ５から選局処理部１２へ出力される。
【００２４】
制御用マイコン１０は、テレビ受像機１の全体の制御を行う。制御用マイコン１０は、ＣＰＵ（中央演算処理装置）、ＲＯＭ（読み出し専用メモリ）及びＲＡＭ（読み書き可能メモリ）を備えている。
【００２５】
制御用マイコン１０には外部メモリ６が接続されている。外部メモリ６は、制御用マイコン１０による読み出しと書き込みが可能に構成されている。この外部メモリ６は、Ｅ２ＰＲＯＭにより構成することができる。
【００２６】
制御用マイコン１０には、制御部１１、選局処理部１２、キー検出部１７、キー判断部１６、フラグ設定部１４、フラグ確認部２４、桁設定部１３、入力待機所定時間判定部１９、ラストチャンネル判断部２０、チャンネル使用回数カウント部２１、カレンダー機能部２２、電源オフ（電源ＯＦＦ）処理部２３及び表示制御部１５が形成されている。
【００２７】
制御用マイコン１０に形成されるこれらの各部は、ＲＯＭ内の演算処理が可能なプログラムによってモジュール化されている。
【００２８】
制御部１１は、制御用マイコン１０の動作の制御を行う。制御部１１が制御用マイコン１０の各部を制御することにより、制御用マイコン１０がテレビ受像機１の動作を制御する。なお、制御用マイコン１０のＲＯＭにはテレビ受像機１を制御する手順からなる制御プログラムが格納されている。そして、制御用マイコン１０は、この制御プログラムを実行することによってテレビ受像機１を制御する。
【００２９】
選局処理部１２は、チューナ５に受信するべき放送チャンネル（の特定の周波数）の設定を行う。選局処理部１２には、受信するべき放送チャンネルのデータとそのチャンネルの周波数のデータとが入力される。受信するべき放送チャンネルのデータは、後に説明する桁設定部１３より選局処理部１２に入力される。
【００３０】
また、受信するべき放送チャンネルの周波数のデータは、外部メモリ６より選局処理部１２に入力される。外部メモリ６には、テレビ受像機１によって受信することが可能なチャンネルの周波数のデータが記憶されている。なお、テレビ受像機１が受信可能な放送チャンネルとその受信周波数のデータとは、放送チャンネルのプリセットにより、予め外部メモリ６に記憶されている。
【００３１】
チューナ５が受信するべき放送チャンネルを設定され、この放送チャンネルの放送信号（映像信号及び／又は音声信号）を受信すると、受信した放送信号はチューナ５から選局処理部１２へ入力される。
【００３２】
選局処理部１２へ入力された映像信号は、制御部１１の制御に基づき、後に説明する映像表示処理部１８に入力される。なお、選局処理部１２に入力された音声信号は、制御部１１の制御に基づき、特に図示しない信号処理経路を通ってテレビモニタ２のスピーカに入力される。
【００３３】
キー検出部１７には、リモコン受光部７より出力された操作キー判別信号が入力される。キー検出部１７に入力された操作キー判別信号は、キー判断部１６、入力待機所定時間判定部１９及びフラグ確認部２４に入力される。
【００３４】
キー判断部１６は、入力された操作キー判別信号に基づき、操作されたキーの種類を判断する。そして、キー判断部１６は、操作された操作キーの種類を判断するキー判断信号を制御部１１に出力する。また、キー判断部１６は、操作された操作キーがチャンネル数値キーである場合、チャンネルナンバーを構成する数値のデータを桁設定部１３に出力する。
【００３５】
制御部１１は、キー判断部１６より入力されたキー判断信号により操作されたキーの種類を判断する。そして、制御部１１は、操作用リモコン３に対する操作の内容を判断し、その内容に応じてテレビ受像機１の動作を制御する。
【００３６】
入力待機所定時間判定部１９は、複数桁のチャンネルの選択に備えてチャンネル数値キーの操作があることを一定時間待機しておく入力待機所定時間Ｔ１が経過したか否か判定する。
【００３７】
即ち、テレビ受像機１では、一つのチャンネル数値キーが操作された後の入力待機所定時間Ｔ１内に、さらにチャンネル数値キーが操作されると、複数桁の数値のチャンネルが選択されるようにされている。そして、この入力待機所定時間Ｔ１が経過したか否かは入力待機所定時間判定部１９によって判定される。
【００３８】
なお、チャンネル数値キーが操作されると、入力待機所定時間判定部１９には、操作された数値キーに対応するキー判別信号がキー検出部１７より入力される。このキー判別信号が入力された時間のデータを用い、入力待機所定時間判定部１９は所定時間Ｔ１が経過したか否かを判定する。
【００３９】
そして、入力待機所定時間判定部１９は、入力待機所定時間Ｔ１が経過したと判定すると、入力待機終了信号を後に説明する桁設定部１３に出力する。これにより、桁設定部１３は、チャンネル数値キーの操作に対して、チャンネルの選択が終了したか否か判断する。
【００４０】
なお、制御用マイコン１０は、時間をカウントするためのタイマ手段（図示しない）を備えている。そして、入力待機所定時間判定部１９は、タイマ手段によりカウントされた時間のデータを適宜に参照する。
【００４１】
桁設定部１３は、受信するべき放送チャンネルのチャンネルナンバーを選局処理部１２に設定する。桁設定部１３には、キー判断部１６より出力されたチャンネルナンバーを構成する各桁の数値が、チャンネル数値キーの一つが操作される毎に順次に入力される。
【００４２】
また、桁設定部１３には、前記入力待機所定時間判定部１９より入力待機終了信号が入力される。また、桁設定部１３には、後に説明するフラグ確認部２４よりフラグ判定信号が入力される。
【００４３】
なお、桁設定部１３には、ラストチャンネルメモリに記憶されているラストチャンネルのデータのフラグ又はチャンネル使用回数の最も多いチャンネルのデータのフラグの少なくとも一方がオン（ＯＮ）であれば、フラグがオンであることを表すフラグ判定信号が入力される。これにより、桁設定部１３は、ラストチャンネルのデータ又はチャンネル使用回数の最も多いチャンネルのデータの少なくとも一方のフラグがオンされていると判断する。
【００４４】
そして、桁設定部１３は、フラグ確認部２４よりフラグがオンであることを表すフラグ判定信号が入力されている状態にあると、チャンネル数値キーの最初の一つの操作に応じて一桁の数値のチャンネルが入力されると、入力待機所定時間判定部１９より入力待機終了信号が入力される前に前記一桁のチャンネルの受信を確定し、確定した一桁の数値のチャンネルを選局処理部１２に出力する。
【００４５】
また、桁設定部１３は、前記一桁の数値のチャンネルの受信を確定すると、後に説明する表示制御部１５に受信確定信号を出力する。
【００４６】
なお、桁設定部１３は、フラグがオンであることを表すフラグ判定信号が入力されている状態で、入力待機終了信号が入力される前にチャンネル数値キーのさらなる操作に応じた入力があると、前記受信を確定したチャンネルの数値と後に入力された数値とにより複数桁の数値を構成し、この複数桁の数値のチャンネルを選局処理部１２に再度出力する。そして、桁設定部１３は、入力待機終了信号が入力されると、表示制御部１５に再度受信確定信号を出力する。
【００４７】
フラグ設定部１４は、チャンネル使用回数の最も多いチャンネルのデータに応じた第一のフラグを形成し、またラストチャンネルのデータに応じた第二のフラグを形成する。
【００４８】
フラグ設定部１４は、後に説明するチャンネル使用回数カウント部２１により使用回数の最も多いチャンネルが一桁の数値のチャンネルと判断した場合に、チャンネル使用回数のデータに対するフラグをオンに設定する第一のフラグ信号を形成する。
【００４９】
また、フラグ設定部１４は、後に説明するラストチャンネル判断部２０によりラストチャンネルが一桁の数値のチャンネルと判断された場合に、ラストチャンネルのデータに対するフラグをオンに設定する第二のフラグ信号を形成する。
【００５０】
フラグ設定部１４は、上記第一のフラグ信号及び第二のフラグ信号を形成すると、該第一のフラグ信号及び第二のフラグ信号をフラグ確認部２４に出力する。前記フラグ確認部２４は、フラグ設定部１４より第一のフラグ信号又は第二のフラグ信号のいずれかが入力されると、受信したチャンルネルに関するデータのフラグがオンであることを表すフラグ判定信号を桁設定部１３に出力する。
【００５１】
ラストチャンネル判断部２０は、ラストチャンネル、即ちテレビ受像機１が最後に電源オフされた時に受信していたチャンネルのチャンネルナンバーの判定を行う。そして、ラストチャンネル判断部２０は、ラストチャンネルのチャンネルナンバーに基づきラストチャンネルが一桁の数値のチャンネルであったか否かを判断する。
【００５２】
チャンネル使用回数カウント部２１は、テレビ受像機１が受信したチャンネルをチャンネルごとに順次にカウントし積算する処理を行う。チャンネル使用回数カウント部２１は、受信するチャンネルが切り替えられ、チャンネルが変更されて受信が確定されるごとにチャンネルのカウントを行う。
【００５３】
そして、チャンネル使用回数カウント部２１は、チャンネルのカウントに基づき最も使用回数の多いチャンネルを判断し、また最も使用回数の多いチャンネルが一桁の数値のチャンネルか否か判断する。チャンネル使用回数カウント部２１によりカウントされたチャンネルの使用回数のデータは、チャンネルと対応付けて外部メモリ６に記憶される。
【００５４】
電源ＯＦＦ（オフ）処理部２３は、テレビ受像機１の電源がオフされると、その電源オフされる直前に受信していたラストチャンネルのチャンネルナンバーを保存する処理を行う。この電源ＯＦＦ（オフ）処理部２３により保存されたチャンネルナンバーは、外部メモリ６にラストチャンネルデータとして記憶される。
【００５５】
カレンダー機能部２２は、カレンダーとしての機能を与えるための処理を行う。即ち、カレンダー機能部２２は、月及び日のデータや一日における各時間帯のデータを発生させる処理を行う。
【００５６】
そして、カレンダー機能部２２は、必要に応じて、月及び日からなる日付けのデータや一日における各時間帯のデータをチャンネル使用回数カウント部２１に入力する。
【００５７】
これにより、チャンネル使用回数カウント部２１は、各チャンネルの使用回数をカウントするに際して、日付や各時間帯に応じて各チャンネルを受信した回数をカウントすることができる。
【００５８】
なお、カレンダー機能部２２は、制御用マイコン１０に備わるタイマ手段によりカウントされる時間のデータを適宜に参照できるようにされており、この時間のデータにより発生させる。
【００５９】
表示制御部１５は、数値チャンネルキーの操作によって選択されたチャンネルの放送をテレビモニタ２に表示するか否かの制御を行う。表示制御部１５は、桁設定部１３より受信確定信号が入力されると、後に説明する表示処理部１８を、桁設定部１３において受信が確定したチャンネルの放送をテレビモニタ２に出力させるように制御する。
【００６０】
映像表示処理部１８は、入力された映像信号をテレビモニタ２に映像として出力するための処理を行う。映像表示処理部１８は、クロマＩＣを含む色信号処理回路や、偏向回路を備えている。この映像表示処理部１８は、テレビモニタ２に映像を表示するため、入力された映像信号に基づく水平走査及び垂直走査や輝度、色制御等の処理を行う。
【００６１】
そして、映像表示処理部１８には、選局処理部１２より映像信号が入力される。そして、映像表示処理部１８に入力された映像信号は映像表示処理部１８で処理され、テレビモニタ２に出力される。映像表示処理部１８が映像信号を処理しテレビモニタ２に出力するか否かは、表示制御部１５によって制御される。
【００６２】
次に、外部メモリ６に記憶されるチャンネル使用回数のデータの例について、図２により説明する。図２（ａ）はチャンネル使用回数のデータセットの一例であり、図２（ｂ）はチャンネル使用回数のデータセットの他の一例である。
【００６３】
図２に示されるデータセットには、受信したチャンネルと視聴回数（使用回数）とが対応付けて記録されている。図２（ａ）に示されるデータセットの例では、１チャンネル（ＣＨ）の視聴回数が３２回と記録されており、７チャンネルの視聴回数が２５回と記録されている。
【００６４】
その他、図２（ａ）に示されるデータセットには、１２チャンネル、３９チャンネル、３チャンネル等の各チャンネルの視聴回数が記録されている。なお、図２（ａ）に具体的に示されていないチャンネルについても、視聴されたチャンネルの全てについて、使用回数が記録される。
【００６５】
また、図２（ｂ）に示されるデータセットの例では、１２チャンネル（ＣＨ）の視聴回数が２５回と記録されており、７チャンネルの視聴回数が１８回と記録されている。
【００６６】
その他、図２（ｂ）に示されるデータセットには、９チャンネル等の各チャンネルの視聴回数が記録されている。なお、図２（ｂ）に具体的に示されていないチャンネルについても、視聴されたチャンネルの全てについて、使用回数が記録される。
【００６７】
図２に示されるチャンネル使用回数の記録において、（ａ）に示される例では、視聴回数が最も多いチャンネルは１チャンネルであり一桁の数値のチャンネルであるので、チャンネルの使用回数に応じた第一のフラグ（以下、「ＵＣＭ」と表す）はオン（ＯＮ）に設定される。
【００６８】
一方、図２の（ｂ）に示される例では、視聴回数が最も多いチャンネルは１２チャンネルであり二桁の数値のチャンネルであるので、第一のフラグ（ＵＣＭ）はオフ（ＯＦＦ）に設定される。
【００６９】
次に、図３により、受信したチャンネルのデータに対して設定されるフラグとチャンネル数値キーの操作とに応じて、受信するチャンネルを確定する条件について説明する。
【００７０】
図３は、受信したチャンネルのデータに対するフラグと、操作されるチャンネル数値キー（リモコンキー入力）と、受信を確定したチャンネル（選局確定）との対応関係を示している。
【００７１】
図３において、ＬＣＭは、テレビ受像機１を最後に電源オフした直前に受信していたラストチャンネルのデータに対して設定される第二のフラグである。図３には、チャンネル数値キーの５を操作した場合の例が示される。
【００７２】
図３に示される第一のフラグ（ＵＣＭ）がオン（ＯＮ）にされている場合には、制御用マイコン１０は、受信した回数が最も多いチャンネルが一桁の数値のチャンネルであることを内容とする第一の条件が成立していると判断する。
【００７３】
また、図３に示される第二のフラグ（ＬＣＭ）がオンにされている場合には、制御用マイコン１０は、ラストチャンネルが一桁の数値のチャンネルであることを内容とする第二の条件が成立していると判断する。
【００７４】
そして、ＵＣＭ又はＬＣＭの一方がオンに設定されている場合、ＵＣＭ及びＬＣＭの双方がオンに設定されている場合には、例えばチャンネル数値キーの５が操作されると、速やかに５チャンネルの受信が確定する。そして、５チャンネルの受信が確定すると、５チャンネルの放送内容がテレビモニタ２に出力される。
【００７５】
一方、ＵＣＭ及びＬＣＭの双方がオフ（ＯＦＦ）に設定されている場合には、例えばチャンネル数値キーの５を操作しただけでは速やかに５チャンネルの受信が確定しない。この場合に、チャンネル数値キーの操作に対して受信するチャンネルを確定する方式として、図３に示される三つの方式を採用することができる。
【００７６】
第一のチャンネル確定方式（1)）では、チャンネル数値キーの０及び５を操作することによって、５チャンネルの受信を確定させる。
【００７７】
第二のチャンネル確定方式（2)）では、チャンネル数値キーの５を所定の時間長押し（例えば、チャンネル数値キーの５を１秒以上継続して押しつづける）することにより、５チャンネルの受信を確定させる。
【００７８】
第三のチャンネル確定方式（3)）では、チャンネル数値キーの５が操作された後にいずれの数値キーも操作されず所定時間（例えば１秒以上）が経過すると、５チャンネルの受信を確定させる。
【００７９】
次に、図４乃至図６により、チャンネルを受信した時間帯データや月及び日からなる日付けデータに応じて視聴回数をカウントするようにした例について説明する。
【００８０】
図４は、時間帯データや日付けデータに応じて視聴回数をカウントするためのテレビモニタ２に表示される操作メニューの一例である。図４（ａ）には、操作メニューの項目として「時計合わせ」、「予約設定」、「チャンネル合わせ」、「視聴回数設定」がテレビモニタ２に表示される例が示される。
【００８１】
図４（ａ）に示される操作メニューの項目より、「視聴回数設定」を選択する。これにより、図４（ｂ）に示されるように、時間帯データや日付けデータに応じてチャンネルの視聴回数のデータをカウントする条件を設定するためのメニューが表示される。
【００８２】
次に、図４（ｂ）に示されるように、テレビモニタ２に表示される項目から「時間帯」を選択する。次に、図４に図示されない操作メニューに基づく入力により、受信したチャンネルを時間帯に応じてカウントしたい具体的な時間帯を設定する。
【００８３】
これにより、図４（ｃ）に示されるように、選択した時間帯が表示される。図４（ｃ）は、時間帯に応じたカウントを行う時間帯として、例えば午前７時から午前８時の時間帯を設定した例を示している。
【００８４】
図５は、受信したチャンネルを時間帯に応じてカウントした結果をテレビモニタ２に表示した例である。図５は、例えば午前７時から午前８時の時間帯で受信したチャンネルをカウントした結果を示している。
【００８５】
次に、時間帯データや日付けデータに応じて視聴したチャンネルをカウントした結果の具体例を、図６及び図７により説明する。
【００８６】
図６は、受信したチャンネルを時間帯に応じてカウントした結果の具体例である。この図６に示されるカウントの結果は、外部メモリ６に記憶させ得るデータセットの例である。
【００８７】
図６（ａ）は一の具体例を示しており、図６（ｂ）は（ａ）と異なる他の具体例を示している。各チャンネルと視聴回数とは、図６に示されるように対応付けて記録されている。
【００８８】
図６（ａ）、（ｂ）のいずれも、例えば午前７時から午前８時の時間帯で受信したチャンネルのカウントの例である。図６（ａ）に示される例では、午前７時から午前８時の時間帯で視聴回数が最も多いチャンネルは９チャンネルである。図６（ａ）に示される例では、ＵＣＭはオンに設定される。
【００８９】
一方、図６（ｂ）に示される例では、午前７時から午前８時の時間帯で視聴回数が最も多いチャンネルは１２チャンネルである。図６（ｂ）に示される例では、ＵＣＭはオフに設定される。
【００９０】
図７は、受信したチャンネルを日付けに応じてカウントした結果の具体例である。この図７に示されるカウントの結果は、外部メモリ６に記憶させ得るデータセットの例である。
【００９１】
図７（ａ）は一の具体例を示しており、図７（ｂ）は（ａ）と異なる他の具体例を示している。各チャンネルと視聴回数とは、図７に示されるように対応付けて記録されている。
【００９２】
図７（ａ）は、例えば２００３年７月１８日に受信したチャンネルのカウントの例である。図７（ｂ）は、例えば２００３年７月２０日に受信したチャンネルのカウントの例である。
【００９３】
図７（ａ）に示される例では、２００３年７月１８日に視聴回数が最も多いチャンネルは９チャンネルである。図７（ａ）に示される例では、ＵＣＭはオンに設定される。
【００９４】
一方、図７（ｂ）に示される例では、２００３年７月２０日に視聴回数が最も多いチャンネルは３９チャンネルである。図７（ｂ）に示される例では、ＵＣＭはオフに設定される。
【００９５】
次に、以上に説明したテレビ受像機１を動作させる例について、図８により説明する。図８は、テレビ受像機１を動作させる手順の一例のフローチャートである。テレビ受像機１を電源オンし、操作用リモコン３のチャンネル数値キーを操作し一のチャンネルを選局する（Ｓ１）。これにより、一のチャンネルの放送を受信し、その放送内容がテレビモニタ２に出力される。
【００９６】
次に、前記一のチャンネルと異なる他のチャンネル数値キーの一つを操作し、一桁目の数値キー入力を行う（Ｓ２）。次に、ＵＣＭ又はＬＣＭのいずれかがオン（ＯＮ）に設定されているか否か判断する（Ｓ３）。
【００９７】
ＵＣＭ、ＬＣＭのいずれかがオン（ＯＮ）に設定されている場合には（Ｓ３、ＹＥＳ）、Ｓ２において一つのチャンネル数値キーの操作によって入力された一桁のチャンネルの受信を確定し速やかに選局を行う（Ｓ４）。これにより、選局された一桁のチャンネルの放送内容がテレビモニタ２に出力される。
【００９８】
Ｓ５において一桁のチャンネルの受信を確定すると、入力待機所定時間Ｔ１のカウントを開始（ＯＮ）する（Ｓ５）。次に、チャンネルの二桁目の数値を表す数値キーの入力が有るか否かを判断する（Ｓ６）。
【００９９】
チャンネルの二桁目の数値の入力が有った場合には（Ｓ６、ＹＥＳ）、入力待機所定時間Ｔ１のタイムカウントをクリアする（Ｓ７）。そして、二桁の数値からなるチャンネルの受信を確定してこのチャンネルを選局し（Ｓ８）、処理を終了する（Ｓ１２）。
【０１００】
一方、チャンネルの二桁目の数値の入力が無い場合には（Ｓ６、ＮＯ）、Ｓ４で確定した一桁のチャンネルを受信したままとする（Ｓ９）。そして、入力待機所定時間Ｔ１のタイムカウントをクリアし（Ｓ１０）、処理を終了する（Ｓ１２）。
【０１０１】
また、Ｓ３においてＵＣＭ、ＬＣＭのいずれもオン（ＯＮ）に設定されていないと判断すると（Ｓ３、ＮＯ）、一つのチャンネル数値キーの操作に対してチャンネルの入力を速やかに確定する以上の手順に基づく処理以外の通常のチャンネル入力確定処理を行い（Ｓ１１）、処理を終了する（Ｓ１２）。
【０１０２】
Ｓ１１における通常のチャンネル入力確定処理として、前記図３により説明した第一のチャンネル確定方式乃至第三のチャンネル確定方式（1)乃至3)）のいずれかに基づく処理を行うことができる。
【図面の簡単な説明】
【０１０３】
【図１】本発明の一実施形態であるテレビ受像機のブロック図である。
【図２】チャンネルの視聴回数をチャンネル毎にカウントした記録の一例である。
【図３】受信したチャンネルのデータに基づき設定されるフラグとチャンネル数値キーを操作する条件と受信を確定するチャンネルとの関係を示す図である。
【図４】受信したチャンネルを時間帯に応じてカウントする条件を設定する操作メニューの例を示す図である。
【図５】受信したチャンネルを時間帯に応じてカウントした結果をテレビモニタに表示させた例を示す図である。
【図６】受信したチャンネルを時間帯に応じてカウントした結果の具体例例を示す図である。
【図７】受信したチャンネルを日付けに応じてカウントした結果の具体例例を示す図である。
【図８】テレビ受像機を動作させる手順の一例のフローチャートである。
【符号の説明】
【０１０４】
１    テレビ受像機
２    テレビモニタ
３    操作用リモコン
５    チューナ
６    外部メモリ
７    リモコン受光部
１０    制御用マイコン
１１    制御部
１２    選局処理部
１３    桁設定部
１４    フラグ設定部
１５    表示制御部
１６    キー判断部
１７    キー検出部
１８    映像表示処理部
１９    入力待機所定時間判定部
２０    ラストチャンネル判断部
２１    チャンネル使用回数カウント部
２２    カレンダー機能部
２３    電源オフ処理部
２４    フラグ確認部
【図１】
2005094668.tif 000003
【図２】
2005094668.tif 000004
【図３】
2005094668.tif 000005
【図４】
2005094668.tif 000006
【図５】
2005094668.tif 000007
【図６】
2005094668.tif 000008
【図７】
2005094668.tif 000009
【図８】
2005094668.tif 000010